【手続補正書】
【提出日】令和3年11月24日(2021.11.24)
【手続補正１】
【補正対象書類名】特許請求の範囲
【補正対象項目名】全文
【補正方法】変更
【補正の内容】
【特許請求の範囲】
【請求項１】
撮像手段と、
ユーザ操作に基づいて前記撮像手段による撮像の準備動作を実行させるための準備指示を受け付ける操作手段と、
音を出力する出力手段と、
制御手段と、を有する撮像装置であって、
前記制御手段は、第１の警告を報知する条件が満たされた場合、前記出力手段によって前記第１の警告に関する音を出力し、
前記制御手段は、前記出力手段によって前記第１の警告に関する音を出力中に、前記操作手段によって前記準備指示を受け付けた場合、前記第１の警告に関する音の出力を停止し、
前記制御手段は、前記操作手段によって前記準備指示を受け付けたことによって前記第１の警告に関する音の出力を停止された場合、前記第１の警告を報知する条件が満たされていても、前記第１の警告を報知せず、前記第１の警告と異なる第２の警告を報知する条件が満たされたことに応じて、前記第２の警告を報知するよう制御する
ことを特徴とする撮像装置。
【請求項２】
複数の前記第１の警告を報知する条件が満たされた場合、前記制御手段は、より重要性の高い前記第１の警告を報知する
ことを特徴とする請求項１に記載の撮像装置。
【請求項３】
前記制御手段は、複数の前記第２の警告を報知する条件が満たされた場合、より重要性の高い前記第２の警告を報知する
ことを特徴とする請求項１または２に記載の撮像装置。
【請求項４】
前記制御手段は、前記操作手段によって前記準備指示を受け付けたことによって前記第１の警告に関する音の出力を停止された場合、前記第１の警告を報知する条件が前記第２の警告を報知する条件と同じ種類であると判定した場合には、前記第２の警告を報知する条件が満たされても前記第２の警告に関する音を出力しない
ことを特徴とする請求項１から３のいずれか１項に記載の撮像装置。
【請求項５】
前記制御手段は、前記第１の警告を報知する条件が前記第２の警告を報知する条件より重要性が高いと判定した場合、前記第２の警告を報知する条件が満たされても前記第２の警告に関する音を出力しない
ことを特徴とする請求項１から４のいずれか１項に記載の撮像装置。
【請求項６】
前記制御手段は、前記第１の警告が前記第２の警告と異なる種類、またはより重要性が低いと判定した場合、前記第２の警告を報知する条件が満たされたことに応じて前記第２の警告に関する音を出力する
ことを特徴とする請求項１から５のいずれか１項に記載の撮像装置。
【請求項７】
前記制御手段は、前記第２の警告に関する音を出力している状態において、前記撮像装置が前記準備動作を実行している状態から待機状態に遷移した場合、または前記操作手段によって前記撮像指示を受け付けた場合、前記第２の警告に関する音の出力を停止する
ことを特徴とする請求項１から６のいずれか１項に記載の撮像装置。
【請求項８】
前記第２の警告は撮像に関する警告であることを特徴とする請求項１から７のいずれか１項に記載の撮像装置。
【請求項９】
前記制御手段は、前記操作手段によって指示を受け付けたことに応じて警告に関する音の出力を停止した場合、報知されていない他の警告に関する音も出力しないよう制御する
ことを特徴とする請求項１から８のいずれか１項に記載の撮像装置。
【請求項１０】
前記制御手段は、前記第１の警告に関する音を出力している状態において、前記第１の警告を報知する条件が満たされないと判定した場合、前記第１の警告に関する音の出力を停止する
ことを特徴とする請求項１から９のいずれか１項に記載の撮像装置。
【請求項１１】
前記第１の警告は、カメラの動作状態に関する警告および撮像に関する警告であることを特徴とする請求項１から１０のいずれか１項に記載の撮像装置。
【請求項１２】
前記操作手段はレリーズスイッチであり、
前記レリーズスイッチを半押しされた場合、前記操作手段は前記撮像手段による撮像の準備動作を実行させるための準備指示を受け付ける
ことを特徴とする請求項１から１１のいずれか１項に記載の撮像装置。
【請求項１３】
さらに表示部を有し、
前記操作手段は前記表示部に形成されたタッチパネルであり、
前記表示部に映る被写体に前記タッチパネルを介してタッチされた場合、前記制御手段は前記撮像手段による撮像の準備動作を実行させるための準備指示を受け付ける
ことを特徴とする請求項１から１２のいずれか１項に記載の撮像装置。
【請求項１４】
撮像手段と、
ユーザ操作に基づいて前記撮像手段による撮像の準備動作を実行させるための準備指示を受け付ける操作手段と、
音を出力する出力手段とを有する撮像装置の制御方法であって、
第１の警告を報知する条件が満たされた場合、前記制御手段は前記出力手段によって前記第１の警告に関する音を出力ステップと、
前記出力手段によって前記第１の警告に関する音を出力中に、前記操作手段によって指示を受け付けた場合、前記制御手段は前記第１の警告に関する音の出力を停止するステップと、
前記操作手段によって前記準備指示を受け付けたことによって前記第１の警告に関する音の出力を停止された場合、前記第１の警告を報知する条件が満たされていても、前記第１の警告を報知せず、前記第１の警告と異なる第２の警告を報知する条件が満たされたことに応じて、前記第２の警告を報知するよう制御するステップと
を有することを特徴とする制御方法。
【請求項１５】
撮像手段と、
ユーザ操作に基づいて前記撮像手段による撮像の準備動作を実行させるための準備指示を受け付ける操作手段と、
音を出力する出力手段とを有する撮像装置のコンピュータに、
第１の警告を報知する条件が満たされた場合、前記制御手段は前記出力手段によって前記第１の警告に関する音を出力ステップと、
前記出力手段によって前記第１の警告に関する音を出力中に、前記操作手段によって指示を受け付けた場合、前記制御手段は前記第１の警告に関する音の出力を停止するステップと、
前記操作手段によって前記準備指示を受け付けたことによって前記第１の警告に関する音の出力を停止された場合、前記第１の警告を報知する条件が満たされていても、前記第１の警告を報知せず、前記第１の警告と異なる第２の警告を報知する条件が満たされたことに応じて、前記第２の警告を報知するよう制御するステップと
を実行させるためのプログラム。
【手続補正２】
【補正対象書類名】明細書
【補正対象項目名】０００６
【補正方法】変更
【補正の内容】
【０００６】
上記の課題を解決するために本発明の撮像装置は、撮像手段と、ユーザ操作に基づいて前記撮像手段による撮像の準備動作を実行させるための準備指示を受け付ける操作手段と、音を出力する出力手段と、制御手段と、を有する撮像装置であって、前記制御手段は、第１の警告を報知する条件が満たされた場合、前記出力手段によって前記第１の警告に関する音を出力し、前記制御手段は、前記出力手段によって前記第１の警告に関する音を出力中に、前記操作手段によって指示を受け付けた場合、前記第１の警告に関する音の出力を停止し、前記制御手段は、前記操作手段によって前記準備指示を受け付けたことによって前記第１の警告に関する音の出力を停止された場合、前記第１の警告を報知する条件が満たされていても、前記第１の警告を報知せず、前記第１の警告と異なる第２の警告を報知する条件が満たされたことに応じて、前記第２の警告を報知するよう制御することを特徴とする。